(57)【要約】【課題】歯の厚さや大きさに係らず、全ての歯を確実に接触して清掃することができ、且つ歯を磨いているときには、歯の配列方向に沿ってブラシヘッドが自由に調整することができる。【解決手段】ハンドルとブラシヘッドとから構成され、前記ブラシヘッドには、歯を清掃するためのブラシ毛が設けてある歯ブラシの構造において、前記ハンドルの他端には一係止孔が凹設してあり、なお、ブラシヘッドの頂側には前記係止孔に係止するための一係止粒が設けてあり、そうすると、ブラシヘッドはハンドルに旋回自在であり、そして、ブラシヘッドの断面は逆Ｌ型を呈し、且つブラシヘッドの裏側面にはブラシ毛が設けてあり、これにより、旋回自在なブラシヘッドの裏側面に設けた逆Ｌ型のブラシ毛が歯の頂面と一側面を確実に清掃することができ、なお、ブラシヘッドを１８０度に旋回すると、歯の他側面を確実に清掃することもでき、且つ歯を磨いているときには、歯の配列方向に沿ってブラシヘッドを自由に調整することができ、歯磨きをもっと楽にすることができる。【選択図】    図１
2004275597.tif 000002
【特許請求の範囲】
【請求項１】
ハンドルとブラシヘッドとから構成され、前記ブラシヘッドには、歯を清掃するためのブラシ毛が設けてある歯ブラシの構造において、
前記ハンドルの他端には一係止孔が凹設してあり、なお、ブラシヘッドの頂側には前記係止孔に係止するための一係止粒が設けてあり、そうすると、ブラシヘッドはハンドルに旋回自在であり、そして、ブラシヘッドの断面は逆Ｌ型を呈し、且つブラシヘッドの裏側面にはブラシ毛が設けてあり、これにより、旋回自在なブラシヘッドの裏側面に設けた逆Ｌ型のブラシ毛が歯の頂面と一側面を確実に清掃することができ、なお、ブラシヘッドを１８０度に旋回すると、歯の他側面を確実に清掃することもでき、且つ歯を磨いているときには、歯の配列方向に沿ってブラシヘッドを自由に調整することができ、歯磨きをもっと楽にすることができることを特徴とする、歯ブラシの構造。
【発明の詳細な説明】
【０００１】
【発明の属する技術分野】
本発明は、歯ブラシの構造に係り、特にブラシヘッドが旋回自在であり、且つ歯の頂面と側面とを同時に清掃することができる歯ブラシの構造に関する。
【０００２】
【従来の技術】
食べ物は、歯で噛んでから胃に入って消化するので、歯の保健は極めて重要である。一般に、歯の保健は歯ブラシで実施し、歯の隙間に挟まっている食べ物の屑を取り除いて、歯を清掃する。従来の歯ブラシの殆どは、ハンドルの一端には下向きのブラシ毛を設けたブラシヘッドを設けている構造を採用したが、このタイプの歯ブラシを使用するときには、ブラシ毛が一方向にだけ向き、後ろ側の歯の清掃は難しいので、後ろ側の歯の清掃効果が得られなし（図５参照）。
【０００３】
上記従来の歯ブラシの欠点を解決するために、図６から図８に示すような歯ブラシが開発され、このタイプの歯ブラシは歯の三面を同時に清掃することができる。これには、ハンドルの一端に一ブラシヘッドが設けてあり、前記ブラシヘッドの断面はややΩ形を呈し、歯がその開口からブラシヘッドに入り、且つブラシヘッドの裏側にはブラシ毛が設けてあり、これにより、歯を磨いているときには、歯がブラシヘッドの三面にあるブラシ毛に覆われ、歯の頂面と二側面とが同時に清掃することができる。
【０００４】
【発明が解決しようとする課題】
しかしながら、これは次のような欠点があった。
（イ）断面がΩ形を呈するブラシヘッドの両側の間の距離は固定されているが、人間の各歯の厚さは一定でない（例えば、臼歯は門歯よりも厚い）ので、前記ブラシヘッドを使用して薄い歯（例えば、門歯）を磨いているときには、ブラシの両側のブラシ毛が歯と確実に接触することができなく、ひいては歯を確実に清掃することができない。
【０００５】
（ロ）断面がΩ形を呈するブラシヘッドは、ハンドルの他端にハンドルと一体的に設けられ、人間の歯の排列は直線状ではなく円弧形を呈するので、前記ブラシヘッドは歯の排列方向に沿って適当に方向を旋回することができないため、歯に沿って磨いているときには、ブラシヘッドの両側の裏側面を歯茎に当てることがよくあり、使用が極めて不便であり、さらには歯茎から出血する恐れもある。
【０００６】
【課題を解決するための手段】
上記欠点を解決するためになされた本願の請求項１は、ハンドルとブラシヘッドとから構成され、前記ブラシヘッドには、歯を清掃するためのブラΩシ毛が設けてある歯ブラシの構造において、前記ハンドルの他端には一係止孔が凹設してあり、なお、ブラシヘッドの頂側には前記係止孔に係止するための一係止粒が設けてあり、そうすると、ブラシヘッドはハンドルに旋回自在であり、そして、ブラシヘッドの断面は逆Ｌ型を呈し、且つブラシヘッドの裏側面にはブラシ毛が設けてあり、これにより、旋回自在なブラシヘッドの裏側面に設けた逆Ｌ型のブラシ毛が歯の頂面と一側面を確実に清潔することができ、なお、ブラシヘッドを１８０度に旋回すると、歯の他側面を確実に清掃することもでき、且つ歯を磨いているときには、歯の配列方向に沿ってブラシヘッドを自由に調整することができ、歯磨きをもっと楽にすることができることを特徴とする歯ブラシの構造であることを要旨としている。
【０００７】
【発明の実施の形態】
まず、図１および図２を参照する。本発明に係る歯ブラシの構造は、ハンドル１とブラシヘッド２から構成される。
【０００８】
前記ハンドル１は、使用者が快適にそれを握り、なお、他端には一係止孔１１が凹設してある。
【０００９】
前記ブラシヘッド２は、頂側には前記係止孔１１に係止するための一係止粒２１が設けてあり、そうすると、ブラシヘッド２はハンドルに対し旋回自在であり、そして、ブラシヘッド２の断面は逆Ｌ型を呈し、且つブラシヘッド２の裏側面にはブラシ毛２２，２３が設けてある。
【００１０】
本発明に係る歯ブラシを組立てる場合には、ブラシヘッド２の係止粒２１をハンドル１の係止孔１１に係止させるだけで、ブラシヘッド２がハンドル１に結合されて旋回自在になり、なお、本発明に係る歯ブラシを使用して歯を磨くときには、逆Ｌ型を呈するブラシヘッド２とそのブラシ毛２２，２３とは、歯の排列方向に沿って歯の頂面と側面とを同時に清掃し（図３参照）、且つ歯の排列方向に沿って自由に方向を調整することができる。また、ブラシヘッド２を１８０度に旋回した後（図４参照）、歯の頂面と他側面とを同時に清潔することもできる。
【００１１】
【発明の効果】
本発明は従来のΩ型のブラシヘッドに比べると、次のような効果がある。
（イ）本発明のブラシヘッドは逆Ｌ型を呈するので、歯を磨いているときには、ブラシ毛を各歯の頂面と側面とに接触させることができ、なお、ブラシヘッドを１８０度に旋回した後、ブラシ毛を各歯の他側面に接触させることもでき、歯の厚さや大きさに係らず、全ての歯に確実に接触して清掃することができる。
【００１２】
（ロ）ブラシヘッドはハンドルに対して自由に旋回することができるため、歯を磨いているときには、歯の配列方向に沿ってブラシヘッドを自由に調整することができ、歯磨きをもっと楽にすることができる。
【図面の簡単な説明】
【図１】本発明に係る歯ブラシの構造の分解斜視図である。
【図２】本発明に係る歯ブラシの構造の組立てた状態の断面概略図である。
【図３】本発明の実施形態の概略図（一）である。
【図４】本発明の実施形態の概略図（二）である。
【図５】従来の歯ブラシの概略図である。
【図６】その他の従来の歯ブラシの斜視図である。
【図７】その他の従来の歯ブラシの図６におけるＶＩＩ−ＶＩＩ間の断面図（一）である。
【図８】その他の従来の歯ブラシの断面図（二）である。
【符号の説明】
１          ハンドル
１１        係止孔
２          ブラシヘッド
２１        係止粒
２２，２３  ブラシ毛
【図１】
2004275597.tif 000003
【図２】
2004275597.tif 000004
【図３】
2004275597.tif 000005
【図４】
2004275597.tif 000006
【図５】
2004275597.tif 000007
【図６】
2004275597.tif 000008
【図７】
2004275597.tif 000009
【図８】
2004275597.tif 000010